(57)【特許請求の範囲】
【請求項１】
外周にウェブが巻付けられるとともに、一側に支持フランジを有するボビンと、  ボビンの一側を支持する第１の支持軸受と、ボビンの他側を支持する下部軸受と、ボビンの支持フランジを摺動自在に支持する受けリブとを有する下部カセットと、
下部カセットに嵌込まれ、下部カセットの下部軸受との間でボビンの他側の第２の支持軸受を形成する上部軸受を有する上部カセットとを備え、
上部カセットには、ボビンの他側端部を押圧する傾斜面が形成された押しリブが設けられ、上部カセットを下部カセットに嵌込む際、ボビンの他側が押しリブの傾斜面により押されてボビンの一側が第１の支持軸受内に進入することを特徴とするカセット装置。
【請求項２】
ボビンはその一側であって支持フランジの内側に設けられた一側保持フランジと、他側に設けられた他側保持フランジとを有することを特徴する請求項１記載のカセット装置。
【請求項３】
下部カセットは係止板を有し、上部カセットはこの係止板とボビンの他側との間に挿入されることを特徴とする請求項１記載のカセット装置。
【発明の詳細な説明】
【０００１】
【発明の属する技術分野】
本発明は転写リボン等が巻付けられたボビンを有するカセット装置に係り、とりわけボビンを容易に装着することができるカセット装置に関する。
【０００２】
【従来の技術】
従来よりカセット装置として、転写リボン等が巻付けられたボビンと、このボビンの一側および他側を各々支持する第１の支持軸受および第２の支持軸受とを備えたものが知られている。
【０００３】
【発明が解決しようとする課題】
上述のようなカセット装置において、ボビンの一側および他側は第１の支持軸受および第２の支持軸受に挿入されるが、この挿入作業を行なう際ボビンと各支持軸受との位置合せが必要となるが、第１の支持軸受および第２の支持軸受への挿入作業は煩雑となっている。
【０００４】
本発明はこのような点を考慮してなされたものであり、ボビンの装着を容易に行なうことができるカセット装置を提供することを目的とする。
【０００５】
【課題を解決するための手段】
本発明は、外周にウェブが巻付けられるとともに、一側に支持フランジを有するボビンと、ボビンの一側を支持する第１の支持軸受と、ボビンの他側を支持する下部軸受と、ボビンの支持フランジを摺動自在に支持する受けリブとを有する下部カセットと、下部カセットに嵌込まれ、下部カセットの下部軸受との間でボビンの他側の第２の支持軸受を形成する上部軸受を有する上部カセットとを備え、上部カセットには、ボビンの他側端部を押圧する傾斜面が形成された押しリブが設けられ、上部カセットを下部カセットに嵌込む際、ボビンの他側が押しリブの傾斜面により押されてボビンの一側が第１の支持軸受内に進入することを特徴とするカセット装置である。
【０００６】
本発明によれば、ボビンを下部カセット上に載置する。このときボビンの支持フランジが受けリブ１４上に載置され、ボビンの他側が下部軸受上に載置される。次に上部カセットが下部カセット内であってボビンの他側に装着されると、上部カセットの押しリブに形成された傾斜面がボビンの他側を押圧し、ボビンの一側が第１の支持軸受内に進入する、このときボビンの他側が下部軸受と上部軸受とによって形成された第２の支持軸受内で支持される。
【０００７】
【発明の実施の形態】
以下、図面を参照して本発明の実施の形態について説明する。
【０００８】
図１乃至図５は本発明によるカセット装置の一実施の形態を示す図である。
【０００９】
図１乃至図５に示すように、カセット装置は外周に転写リボン（ウェブ）２５が巻付けられたボビン２１と、このボビン２１を支持する下部カセット１０と、下部カセット１０に嵌込まれる上部カセット３０とを備え、ボビン２１はこの下部カセット１０と上部カセット３０との間で回転可能に支持されている。
【００１０】
このうちボビン２１の一側２１ａに一側保持フランジ２２が設けられ、その他側２１ｂに他側保持フランジ２３が設けられ、この一側保持フランジ２２と他側保持フランジ２３との間で転写リボン２５が保持されている。また一側保持フランジ２２の更に外側には、支持フランジ２４が設けられている。
【００１１】
また下部カセット１０は、下部フレーム１１と、下部フレーム１１の一側に取付けられた保持板１２と、保持板１２に保持されボビン２１の一側２１ａを回転自在に支持する第１の支持軸受１３を有している。さらに下部フレーム１１の他側上面にはボビン２１の他側２１ｂを支持する下部軸受１６が設けられ、また下部フレーム１１の他側端部には係止板１５が取付けられている。
【００１２】
また下部フレーム１１の一側上面には、ボビン２１の支持フランジ２４を摺動自在に支持する一対の受けリブ１４が取付けられている（図４）。
【００１３】
また上部カセット３０は上部フレーム３１と、この上部フレーム３１に取付けられ下部カセット１０の下部軸受１６との間で第２の支持軸受を形成する上部軸受３３とを有している。このうち第２の支持軸受１６，３３はボビン２１の他側２１ｂを回転自在に支持するものである。
【００１４】
また上部フレーム３１には、下部カセット１０の係止板１５に係合する係合板３２が設けられ、さらに上部フレーム３１には上部軸受３３と係合板３２との間に配置された押しリブ３４が取付けられている。この押しリブ３４には、上部カセット３０を下部カセット１０に嵌込む際ボビン２１の他側２１ｂ端部を押圧する傾斜面３４ａが形成されている。
【００１５】
次にこのような構成からなる本実施の形態の作用について説明する。まず図１に示すように、下部カセット１０上に、予め転写リボン２５が巻付けられたボビン２１が載置される。この場合、ボビン２１の支持フランジ２４が下部カセット１０の一対の受けリブ１４上に載置され、ボビン２１の他側２１ｂが下部軸受１６上に載置される。
【００１６】
次に図２に示すように、上部カセット３０が下部カセット１０の係止板１５とボビン２１の他側２１ｂとの間に挿入される。このとき、上部カセット３０の係合板３２が、下部カセット１０の係止板１５に係合し、同時に押しリブ３４の傾斜面３４ａがボビン２１の他側２１ｂの端部を押してボビン２１が図２の左側へ押し出される。
【００１７】
この場合、ボビン２１の支持フランジ２４は一対の受けリブ１４上に載置されているので、図４の左右方向のボビン２１の位置決めが一対の受けリブ１４によって行なわれる。このため上部カセット３０の押しリブ３４によってボビン２１が押出されると、支持フランジ２４が一対の受けリブ１４上を摺動し、ボビン２１の一側２１ａがスムースに第１の支持軸受１３内に進入する。このときボビン２１の一側２１ａは第１の支持軸受１３内に回転自在に支持される。
【００１８】
その後、図３に示すように右上部カセット３０を完全に係止板１５とボビン２１の端部２１ｂとの間に挿入すると、下部軸受１６上に上部軸受３３が載置される。このとき、下部軸受１６と上部軸受３３との間で第２の支持軸受が形成され、この第２の支持軸受１６、３３内にボビン２１の他側２１ｂが回転自在に支持される（図５）。
【００１９】
このように本発明の実施の形態によれば、ボビン２１を下部カセット１０上に載置し、次に上部カセット３０を下部カセット１０とボビン２１との間に挿入するだけで容易かつ簡単にカセット装置を組立てることができる。
【００２０】
【発明の効果】
以上のように本発明によれば、ボビンを下部カセット上に載置し、上部カセットを下部カセットとボビンとの間に挿入するだけで、容易かつ簡単にカセット装置を組立てることができる。
【図面の簡単な説明】
【図１】本発明によるカセット装置の一実施の形態を示す図てあって下部カセットにボビンを載置した状態を示す図。
【図２】上部カセットを下部カセットに装着する状態を示す図。
【図３】上部カセットを下部カセットに完全に装着した状態を示す図。
【図４】第１の支持軸受を示す図。
【図５】第２の支持軸受を示す図。
【符号の説明】
１０  下部カセット
１３  第１の支持軸受
１４  受けリブ
１５  係止板
１６  下部軸受
２１  ボビン
２１ａ  ボビンの一側
２１ｂ  ボビンの他側
２２  一側保持フランジ
２３  他側保持フランジ
２５  転写リボン
３０  上部カセット
３３  上部軸受
３４  押しリブ
３４ａ  傾斜面
【図１】
0004320079.tif 000002
【図２】
0004320079.tif 000003
【図３】
0004320079.tif 000004
【図４】
0004320079.tif 000005
【図５】
0004320079.tif 000006